(57)【要約】【課題】紐状体の巻き取り方向の付勢力による使い勝手の悪化を来たすことがなく、引き出し長さを任意に調節することの可能な紐状体の巻き取り具を提供する。【解決手段】ケース１０と、このケース１０内に回転可能に設けられて外周に紐状体２を巻き取るドラム２０と、このドラム２０を紐状体２の巻き取り方向へ付勢するばねとを備え、紐状体２が、ドラム２０に形成した貫通孔２１ａを長手方向移動可能な状態に通ってその両端がケース１０の外部へ導出されると共にケース１０の外部に配置した外部接続部３，４に接続される。【選択図】図１
2014015308.tif 000002
【特許請求の範囲】
【請求項１】
ケースと、このケース内に回転可能に設けられて外周に紐状体を巻き取るドラムと、このドラムを前記紐状体の巻き取り方向へ付勢するばねとを備え、前記紐状体が、前記ドラムに形成した貫通孔を移動可能な状態に通ってその両端が前記ケースの外部へ導出されると共に前記ケースの外部に配置した外部接続部に接続されたことを特徴とする紐状体の巻き取り具。
【請求項２】
ドラムの外周に軸方向に並んだ第一及び第二の巻き取り部が形成され、紐状体のうち、前記ドラムの貫通孔を通った部分より長手方向一方が第一の巻き取り部へ導出され、前記貫通孔を通った部分より長手方向他方が第二の巻き取り部へ導出されたことを特徴とする請求項１に記載の紐状体の巻き取り具。
【請求項３】
外部接続部が工具又はベルトへの繋着具であることを特徴とする請求項１又は２に記載の紐状体の巻き取り具。
【請求項４】
紐状体が導電ケーブルであることを特徴とする請求項１又は２に記載の紐状体の巻き取り具。
【発明の詳細な説明】
【技術分野】
【０００１】
本発明は、紐状体の巻き取り具であって、例えば高所作業中に過って工具を落とすことのないように工具を繋着する工具落下防止具や、あるいは導電ケーブルの巻き取り手段などに適用可能なものに関する。
【背景技術】
【０００２】
建設現場等において高所作業中に過って工具を手から落としてしまった場合の安全性を確保するための工具落下防止具として使用される紐状体の巻き取り具は、従来、例えば下記の特許文献に開示されたものがある。
【０００３】
この特許文献に記載された紐状体の巻き取り具は、図８に示すように、作業者が腰に装着しているベルト２０１に係止可能なケース１０１内に、軸１０２を中心にして回転可能な状態でドラム１０３が収容され、このドラム１０３に巻かれケース１０１の外部へ繰り出される紐状体又は帯状体（以下、紐状体という）１０５の先端に、工具２０２を繋着するための係止具６が設けられ、ドラム１０３を、その内周に組み込んだばね（ぜんまいばね）１０４によって紐状体１０５の巻き取り方向に付勢してなるものである。
【０００４】
すなわち、この種の紐状体の巻き取り具１００は、高所作業に際して、作業者が腰に装着しているベルト２０１にケース１０１を固定し、紐状体１０５の先端の係止具１０６に工具２０２を繋着して使用する。したがって、工具２０２を使用する際には、紐状体１０５がばね１０４による巻き取り方向の付勢力に抗してケース１０１から引き出されることになる。そして図９に示すように、高所作業中に過って作業者２００が工具２０２を手から落とした場合、ベルト２０１に装着したケース１０１から、工具２０２の落下によって紐状体１０５が引き出され、その過程でドラム１０３の回転により蓄勢されるばね１０４の付勢力によって、工具２０２の落下を途中で食い止めると共に、落下による衝撃力を吸収することができる。
【０００５】
しかしながら、上記従来の紐状体の巻き取り具１００は、作業者２００が工具２０２を使用して各種作業をする際に、紐状体１０５にばね１０４の付勢力によるテンションが掛かっており、すなわちこの紐状体１０５を介してばね１０４の付勢力が工具２０２に作用しているため、作業性が悪化する問題が指摘される。
【０００６】
また、過って工具２０２を落とした場合、紐状体１０５が引き出されるのに伴って蓄勢されるばね１０４の付勢力によって、図９に示すように、工具２０２が大きくバウンドして跳ね上がり、そのときの衝撃力がばね１０４を介してケース１０１に伝達され、ケース１０１が損傷するおそれがあった。
【０００７】
さらには、巻き取り具１００の本体（ケース１０１）が大きく、ケース１０１に一体的に形成された不図示の取付手段によってベルト２０１に装着されるため、ベルト２０１に巻き取り具１００を多数装着することは困難であり、しかもケース１０１の引き出し口の開口位置などに起因して、紐状体１０５の引き出し方向に方向性があるため、ベルト２０１への装着箇所に制約があった。
【０００８】
一方、パソコンの補助入力装置としてマウスが広く用いられており、コード付きマウスの場合、パソコンとマウスはマウスコードを介して接続される。
【０００９】
すなわち図１０において、参照符号３００はマウスであって、平面上で動かしたときの移動量及び移動方向の検出信号によって、不図示のパソコンの画面上に表示されたカーソルを移動させ、画面上の種々のデータを選択したり入力したりするために用いられる。また参照符号３０１は、マウス３００から延び、このマウス３００の操作による入力信号を前記パソコンへ送るためのマウスコードであり、参照符号３０２は、マウスコード３０１の先端に設けられたコネクタである。
【００１０】
この種のコード付きマウス３００において、マウスコード３０１は予め十分な長さで提供されるため、パソコンの設置位置との関係によっては必要以上の大きなたるみが生じ、マウス３００を動かして操作する際に、たるんだマウスコード３０１が周辺機器に引っ掛かったり、長いマウスコード３０１が引きずられたりして、マウス３００をスムーズに動かせず、入力作業に支障を来たすことがある。したがってこのような場合、従来は、余分な長さの分だけ結束バンド３０３などで束ねているが、見た目が乱雑であった。
【先行技術文献】
【特許文献】
【００１１】
【特許文献１】実公平０６−３８９９５号公報
【発明の概要】
【発明が解決しようとする課題】
【００１２】
本発明は、以上のような点に鑑みてなされたものであって、その技術的課題は、紐状体の巻き取り方向の付勢力による使い勝手の悪化を来たすことがなく、引き出し長さを任意に調節することの可能な紐状体の巻き取り具を提供することにある。
【課題を解決するための手段】
【００１３】
上述した技術的課題を有効に解決するための手段として、請求項１の発明に係る紐状体の巻き取り具は、ケースと、このケース内に回転可能に設けられて外周に紐状体を巻き取るドラムと、このドラムを前記紐状体の巻き取り方向へ付勢するばねとを備え、前記紐状体が、前記ドラムに形成した貫通孔を長手方向移動可能な状態に通ってその両端が前記ケースの外部へ導出されると共に前記ケースの外部に配置した外部接続部に接続されたものである。
【００１４】
上記構成によれば、ドラムの外周に巻き取られる紐状体がこのドラムに形成した貫通孔を長手方向移動可能な状態で通ると共に両端がケースの外部に配置した外部接続部に接続されているため、この紐状体がケースの外部へほぼいっぱいに引き出された状態ではケースをその内部のドラムと共に紐状体の長手方向へ相対移動させることができる。そして、ケースをその内部のドラムと共に紐状体の長手方向一端へ向けて相対移動させることで、紐状体の長手方向一端側の巻き取り可能長さが短くなるので、ばねの付勢力による巻き取り方向へのドラムの回転を規制することができる。
【００１５】
請求項２の発明に係る紐状体の巻き取り具は、請求項１に記載の構成において、ドラムの外周に軸方向に並んだ第一及び第二の巻き取り部が形成され、紐状体のうち、前記ドラムの貫通孔を通った部分より長手方向一方が第一の巻き取り部へ導出され、前記貫通孔を通った部分より長手方向他方が第二の巻き取り部へ導出されたものである。
【００１６】
請求項３の発明に係る紐状体の巻き取り具は、請求項１又は２に記載の構成において、外部接続部が工具又はベルトへの繋着具であることを特徴とするものである。
【００１７】
請求項４の発明に係る紐状体の巻き取り具は、請求項１又は２に記載の構成において、紐状体が導電ケーブルであることを特徴とするものである。
【発明の効果】
【００１８】
請求項１の発明に係る紐状体の巻き取り具によれば、紐状体がケースの外部へ最長に引き出された状態ではケースがその内部のドラムと共に紐状体の長手方向へ相対移動可能となるため、紐状体を限度まで引き出したときの衝撃がドラム及びケースに伝達されることがなく、このためドラム及びケースの破損が防止される。また、ケースをその内部のドラムと共に紐状体の長手方向一端へ向けて相対移動させることで、紐状体の巻き取り方向へのドラムの回転が規制されるので、ケース外部へ導出された紐状体にばねによる張力が作用するのを防止することができる。
【００１９】
請求項２の発明に係る紐状体の巻き取り具によれば、紐状体のうち、ドラムを貫通した部分より長手方向一方を第一の巻き取り部へ、また長手方向他方を第二の巻き取り部へ、整然と巻き取ることができる。
【００２０】
請求項３の発明に係る紐状体の巻き取り具によれば、ケースの外部へ導出された紐状体の両端に、繋着具が取り付けられたものであるため、高所作業中に過って工具を落とすことのないように工具を繋着する工具落下防止具として使用することができる。
【００２１】
請求項４の発明に係る紐状体の巻き取り具によれば、ＯＡ機器やオーディオ機器などの導電ケーブルの長さを任意に調節するための手段として使用することができる。
【図面の簡単な説明】
【００２２】
【図１】本発明に係る紐状体の巻き取り具の好ましい第一の実施の形態を示す概略構成説明図である。
【図２】本発明に係る紐状体の巻き取り具の好ましい第一の実施の形態を図１におけるＸ−Ｘ線で切断して示す断面図である。
【図３】本発明に係る紐状体の巻き取り具の好ましい第一の実施の形態において、紐状体を限度まで引き出した状態を示す説明図である。
【図４】本発明に係る紐状体の巻き取り具の好ましい第一の実施の形態を、工具落下防止具として使用した例を示す説明図である。
【図５】本発明に係る紐状体の巻き取り具の好ましい第一の実施の形態において、紐状体を完全に巻き取るための方法を示す概略構成説明図である。
【図６】本発明に係る紐状体の巻き取り具の好ましい第二の実施の形態を、図１におけるＸ−Ｘ線と対応する位置で切断して示す断面図である。
【図７】本発明に係る紐状体の巻き取り具の好ましい第三の実施の形態を、パソコンのマウスコードの長さ調整手段として使用した例を示す説明図である。
【図８】従来の技術による紐状体の巻き取り具を示す説明図である。
【図９】作業者が、従来の技術による紐状体の巻き取り具に繋着した工具を過って落とした場合の状況を示す説明図である。
【図１０】パソコンのマウス及びマウスコードを示す説明図である。
【発明を実施するための形態】
【００２３】
以下、本発明に係る紐状体の巻き取り具の好ましい実施の形態を、図面を参照しながら説明する。
【００２４】
まず図１〜図５に示す第一の実施の形態は、本発明に係る紐状体の巻き取り具を工具落下防止具として適用したものである。すなわち図１及び図２に示す紐状体の巻き取り具１において参照符号１０はケース、参照符号２０はケース１０内に回転可能に設けられたドラム、図２の参照符号３０はドラム２０を巻き取り方向へ付勢するばね、参照符号２はドラム２０の外周に巻き取られる紐状体である。紐状体２は、両端がケース１０の外側へ導出されてそれぞれ図１の繋着具３，４に接続されている。
【００２５】
詳しくは、ケース１０はドラム２０の軸心と平行な方向の投影形状が略楕円形をなすものであって、その長径方向の両端に位置して、第一及び第二の引き出し口１１，１２が開設されている。また、ケース１０の軸方向一方の内側面には、その中央に位置する円形の軸受凹部１３と、この軸受凹部１３と同心の円筒状のスプリングケース部１４が形成されている。
【００２６】
ドラム２０は、ケース１０の内部空間に配置された円筒状のドラム本体２１と、その一方の側板の中心から軸方向へ突設されて先端部がケース１０の軸受凹部１３に回転自在に嵌合された支軸２２と、ドラム本体２１の外周に軸方向所定間隔で突設された３枚の鍔部２３〜２５とを備える。そしてこの鍔部２３〜２５によって、ドラム本体２１の外周には軸方向に並んだ第一及び第二の巻き取り部２０Ａ，２０Ｂが形成されている。また、ドラム本体２１には、その直径方向へ貫通した貫通孔２１ａが形成されており、その径方向両端が前記第一及び第二の巻き取り部２０Ａ，２０Ｂに開口している。
【００２７】
紐状体２は、例えば合成繊維を平打ちした平紐状のものであって、その幅は鍔部２３〜２５の間隔よりもやや小さく、すなわち第一及び第二の巻き取り部２０Ａ，２０Ｂに巻き取り可能な幅に形成されている。また、この紐状体２は、ドラム本体２１の貫通孔２１ａを長手方向移動可能な状態で通り、この部分２ｃより長手方向一方へ延びる側２ａが鍔部２３，２４間の第一の巻き取り部２０Ａからケース１０の第一の引き出し口１１を通じてケース外部へ導出されており、貫通孔２１ａを通る部分２ｃより長手方向他方へ延びる側２ｂが鍔部２４，２５間の第二の巻き取り部２０Ｂからケース１０の第二の引き出し口１２を通じてケース外部へ導出されている。
【００２８】
ばね３０は、薄い帯状の鋼板を渦巻き状に巻曲した、いわゆるぜんまいばねであって、一端がドラム２０の支軸２２に係止され、他端がケース１０のスプリングケース部１４に係止されている。そしてこのばね３０は、弛緩した状態ではスプリングケース部１４側へ偏在しており、ドラム２０が紐状体２の引き出し方向へ回転されるのに伴って支軸２２に巻き付けられながら蓄勢されるようになっている。
【００２９】
繋着具３，４は、請求項１に記載された外部接続部に相当するものであって、いわゆるナスカンと呼ばれる公知の金具からなり、工具２０２あるいは作業者が腰に装着しているベルト２０１と繋着することができるものである。
【００３０】
以上のように構成された第一の実施の形態による紐状体の巻き取り具１によれば、図１に示すように、例えば紐状体２の一方の端部に取り付けられた繋着具３を、作業者が腰に装着しているベルト２０１に繋着し、他方の端部に取り付けられた繋着具４を、工具２０２に繋着する。このとき紐状体２はドラム２０に巻き取られた状態にあり、詳しくは図２に示すように、ドラム本体２１の貫通孔２１ａを通る部分２ｃの両側２ａ，２ｂが、このドラム本体２１の外周における第一及び第二の巻き取り部２０Ａ，２０Ｂにほぼ同じ長さずつ巻回されている。
【００３１】
工具２０２を使用する際にはケース１０から紐状体２が引き出され、これに伴って、ドラム２０がばね３０の付勢力に抗して紐状体２の引き出し方向へ回転される。そして図３に示すように、紐状体２をほぼいっぱいに引き出した状態では、ドラム本体２１の貫通孔２１ａ内を紐状体２が摺動可能となり、このためケース１０をその内部のドラム２０と共に紐状体２の長手方向へ相対移動させることができる。
【００３２】
なお、図３では貫通孔２１ａがケース１０における第一及び第二の引き出し口１１，１２の方向を向いて紐状体２が直線状をなしている状態を示しているが、紐状体２がドラム２０の第一及び第二の巻き取り部２０Ａ，２０Ｂにある程度巻き付いた状態にあっても、この紐状体２はドラム本体２１の外周面や貫通孔２１ａと摺動可能であるため、図３に示すように紐状体２をいっぱいに引き出さなくても、ケース１０をその内部のドラム２０と共に紐状体２の長手方向へ相対移動させることができる。
【００３３】
このようにして、ケース１０を例えばベルト２０１に繋着した繋着具３側へ適当に移動させることによって、繋着具３側（ベルト２０１側）の紐状体２の引き出し長さが相対的に短くなり、繋着具４側（工具２０２側）の紐状体２の引き出し長さが相対的に長くなる。次に、この状態から紐状体２の引っ張りを解除すると、蓄勢されたばね３０の付勢力によってドラム２０が回転して紐状体２がケース１０内へ引き込まれて第一及び第二の巻き取り部２０Ａ，２０Ｂに巻き取られる。そして、このドラム２０の巻き取り回転動作は、第一及び第二の巻き取り部２０Ａ，２０Ｂにそれぞれ繋着具３側（ベルト２０１側）の部分の引き出し長さ分だけ巻き取られた時点で、図４に示すように、ケース１０が繋着具３と紐状体２の結合部に干渉することで停止されるため、繋着具４側（工具２０２側）の紐状体２（２ｂ）は、ケース１０から適当な長さだけ引き出された状態に保持される。
【００３４】
すなわち、この紐状体の巻き取り具１によれば、ケース１０からの繋着具４側（工具２０２側）の紐状体２（２ｂ）の引き出し長さを任意に調整することができる。しかもこの状態では、ばね３０の付勢力によるドラム２０の巻き取り回転がロックされているので、工具２０２を持つ作業者の手に紐状体２を介して張力が作用することはなく、しかもケース１０はベルト２０１側に短く吊支されているので邪魔にならず、したがって工具２０２の使い勝手が損なわれず、作業性が悪化しない。
【００３５】
また、万一、高所作業中に作業者が過って手から工具２０２を落としてしまった場合は、ケース１０から紐状体２が繋着具４側（工具２０２側）へ引き出されて行き、やがて工具２０２の落下を途中で食い止める。また、図３に示すように紐状体２がいっぱいに引き出された状態となるまで工具２０２が落下した場合でも、ドラム２０が引き出し方向へ回転されることによってばね３０がドラム２０の支軸２２に巻き付きながら蓄勢されて、落下速度の増大が抑えられるので、衝撃が緩和され、工具２０２のバウンドが抑制される。
【００３６】
しかも図３からわかるように、紐状体２とケース１０及びドラム２０は互いにフリーであるため、紐状体２がいっぱいに引き出された状態となるまで工具２０２が落下したときに、その衝撃がケース１０やドラム２０へ伝達されることはなく、したがってケース１０やドラム２０の破損が防止される。
【００３７】
また、作業終了後は、例えば図５に示すように、紐状体２をケース１０で折り返すように、繋着具３，４とケース１０を引っ張るなどして、ケース１０から繋着具３，４までの引き出し長さがほぼ等しくなるようにしてから、引っ張りを解除すれば、図１に示すように、紐状体２のほぼ全長を巻き取ることができる。そしてこの状態では、紐状体２の無駄な露出がなくなるため、高所で作業者が移動する際に長く露出した紐状体２が何かに引っ掛かるといった危険性を防止することができる。
【００３８】
また、紐状体２はドラム本体２１の貫通孔２１ａの両側で、第一の巻き取り部２０Ａ及び第二の巻き取り部２０Ｂを経由してケース１０の外部へ導出されているため、紐状体２が比較的幅の細いものであっても、これにほぼ対応する軸方向幅に形成された第一の巻き取り部２０Ａ及び第二の巻き取り部２０Ｂに整然と巻き取ることができる。
【００３９】
さらには、この紐状体の巻き取り具１は、ケース１０から導出した紐状体２の一端を繋着具３を介してベルト２０１に装着するものであるため、多数装着することができ、ベルト２０１における装着位置や方向性の制限もないため、使い勝手が良い。
【００４０】
次に図６は、本発明に係る紐状体の巻き取り具の第二の実施の形態を示すもので、この紐状体の巻き取り具１において上述した第一の実施の形態とことなるところは、ドラム本体２１の外周が第一の巻き取り部及び第二の巻き取り部に分割されておらず、一対の鍔部２３，２５によって、単一の巻き取り部２０Ｃが形成されていることにある。
【００４１】
巻き取り部２０Ｃは第一の実施の形態における第一の巻き取り部及び第二の巻き取り部よりも幅が広いので、これに巻き取られる平紐状の紐状体２も、第一の実施の形態のものに比較して幅の広い（鍔部２３〜２５の間隔よりもやや狭い）ものが使用されている。この紐状体２は、ドラム本体２１の貫通孔２１ａを長手方向移動可能な状態で通り、この部分２ｃの両側２ａ，２ｂがドラム本体２１の外周の巻き取り部２０Ｃに交互に重なった状態に巻回され、ケース１０の第一の引き出し口１１及び第二の引き出し口１２を通じてケース外部へ導出されている。その他の部分は、基本的に第一の実施の形態と同様に構成することができる。
【００４２】
したがって、この第二の実施の形態による紐状体の巻き取り具１も、先に説明した第一の実施の形態と同様の作用・効果を実現するものである。
【００４３】
また、図７は、本発明に係る紐状体の巻き取り具を、パソコンと外部機器とを接続するコードの長さ調整手段として適用した第三の実施の形態を示すものである。
【００４４】
すなわち図７において、参照符号３００は、平面上で動かしたときの移動量及び移動方向の検出信号によって、不図示のパソコンの画面上に表示されたカーソルを移動させ、クリックボタン３００ａ，３００ｂによって画面上の種々のデータを選択したり入力したりするための補助入力装置であるマウス、参照符号３０１は、マウス３００から延び、このマウス３００の操作による入力信号を前記パソコンへ送るためのマウスコード、参照符号３０２は、マウスコード３０１の先端に設けられたコネクタである。なお、マウスコード３０１は請求項１に記載された紐状体及び請求項４に記載された導電ケーブルに相当するものであり、マウスコード３０１とマウス３００の接続部及びコネクタ３０２は、請求項１に記載された外部接続部に相当するものである。
【００４５】
長さ調整手段としての巻き取り具１は、基本的には先に説明した第一又は第二の実施の形態と同様の構成を備えるものであり、すなわちケース１０と、このケース１０内に回転可能に設けられて外周にマウスコード３０１を巻き取るドラム２０と、このドラム２０をマウスコード３０１の巻き取り方向へ付勢する不図示のばねを備え、前記マウスコード３０１が、ドラム２０のドラム本体２１にその直径方向へ貫通形成された貫通孔２１ａに移動可能に貫挿されると共にその両端がケース１０の第一及び第二の引き出し口１１，１２を通じて外部へ導出されている。
【００４６】
したがって、以上のように構成された第三の実施の形態によれば、第一又は第二の実施の形態と同様、マウスコード３０１をケース１０からほぼいっぱいに引き出した状態では、ドラム本体２１の貫通孔２１ａ内をマウスコード３０１が摺動可能となり、このためケース１０をその内部のドラム２０と共にマウスコード３０１の長手方向へ相対移動させることができる。
【００４７】
そして上述の方法により、例えばケース１０をコネクタ３０２側へ適度に移動させてから、マウスコード３０１の引っ張りを解除すると、蓄勢されたばねの付勢力によってドラム２０が回転してマウスコード３０１がケース１０内へ引き込まれてドラム本体２１の外周に巻き取られる。そして、このドラム２０の巻き取り回転動作は、上述したケース１０の移動操作により短くなったコネクタ３０２側の引き出し長さ分だけ巻き取られた時点で、ケース１０がコネクタ３０２に干渉することで停止されるため、図示のように、マウス３００側のマウスコード３０１は、ケース１０から適当な長さだけ引き出された状態に保持される。
【００４８】
すなわち、この紐状体の巻き取り具１によれば、ケース１０からのマウス３００側のマウスコード３０１の引き出し長さを任意に調整することができる。このためマウス３００を動かして操作する際に、たるんだマウスコード３０１が周辺機器に引っ掛かったり、長いマウスコード３０１が引きずられたりして、マウス３００をスムーズに動かせなくなるのを防止することができる。しかもマウス３００を操作する際にマウスコード３０１を介して張力が作用することはなく、マウス３００の操作性を向上することができる。
【００４９】
なお、第三の実施の形態では、紐状体の巻き取り具１をパソコンとマウス３００とを接続するマウスコード３０１の長さ調整手段として適用した例を説明したが、例えばオーディオ機器とイヤホーンとを接続するコードや、各種電気機器の電源ケーブルや信号ケーブル類などの長さ調整手段として適用することも可能である。
【符号の説明】
【００５０】
１  紐状体の巻き取り具
２  紐状体
３，４  繋着具（外部接続部）
１０  ケース
１１  第一の引き出し口
１２  第二の引き出し口
２０  ドラム
２０Ａ  第一の巻き取り部
２０Ｂ  第二の巻き取り部
２１  ドラム本体
２１ａ  貫通孔
３０  ばね
３００  マウス
３０１  マウスコード（導電ケーブル）
３０２  コネクタ（外部接続部）
【図１】
2014015308.tif 000003
【図２】
2014015308.tif 000004
【図３】
2014015308.tif 000005
【図４】
2014015308.tif 000006
【図５】
2014015308.tif 000007
【図６】
2014015308.tif 000008
【図７】
2014015308.tif 000009
【図８】
2014015308.tif 000010
【図９】
2014015308.tif 000011
【図１０】
2014015308.tif 000012